(57)【要約】【課題】  画像形成装置において、一度実行したジョブの設定情報を再利用すること。【解決手段】  本発明の画像形成装置は、一旦実行したジョブについてその設定情報をユーザの選択により記録し、必要に応じてその設定情報を呼出して再利用することが可能となった。これにより、例えば複数の機能処理が重なった複雑な処理であっても、記録されているジョブの設定情報を呼出して行うことにより、希望の処理を間違えずに迅速に行うことが可能となった。【選択図】図１
2009141655.tif 000002
【特許請求の範囲】
【請求項１】
ジョブの設定情報の入力を受け付ける入力部と、
前記入力部での前記ジョブの設定情報に基づいて、ジョブの処理を行うために装置の制御を行う制御部と、
前記制御部に制御されて画像処理を行う画像処理部と、
前記制御部に制御されて印刷を行う印刷部と、
を有する画像形成装置であって、
前記ジョブの設定情報を記録して保存するジョブ設定情報記録部と、
ユーザの操作に基づいて前記ジョブ設定情報記録部が記録した前記ジョブの設定情報を出力するジョブ設定情報出力部と、を有し、
前記制御部は、前記ジョブ設定情報出力部により出力された前記ジョブの設定情報に基づいて、前記画像処理部と前記印刷部とを制御する
ことを特徴とする画像形成装置。
【請求項２】
請求項１の画像形成装置であって、
前記ジョブ設定情報記録部は、前記ユーザがログアウトを行う際に、前記ジョブの設定情報を記録するかどうかを前記ユーザに選択させて、前記選択に従って前記ジョブの設定情報の記録を行う
ことを特徴とする画像形成装置。
【請求項３】
請求項１または２の画像形成装置であって、
前記入力部で入力された前記ジョブの設定情報を表示すると共に装置の状態を表示する表示部を有し、
前記表示部は、前記ジョブ設定情報出力部により出力された前記ジョブの設定情報を表示し、
前記入力部は、前記表示部で表示された前記ジョブの設定情報を編集可能であり、
前記制御部は、前記入力部により編集されたジョブの設定情報に基づいて、前記画像処理部と前記印刷部とを制御する
ことを特徴とする画像形成装置。
【請求項４】
請求項１から３のいずれかの画像形成装置であって、
前記ユーザの認証を行うユーザ認証部を有し、
前記ジョブ設定情報記録部は、前記ジョブの設定情報を前記ユーザ認証部で認証されたユーザと関連付けて記録し、
前記ジョブ設定情報出力部は、前記ユーザ認証部で認証されたユーザに関連付けされた前記ジョブの設定情報を出力する
ことを特徴とする画像形成装置。
【請求項５】
請求項１から４のいずれかの画像形成装置であって、
原稿の読取を行う画像読取部を有し、
前記制御部は、前記入力部により編集されたジョブの設定情報に基づいて、前記画像読取部を制御する
ことを特徴とする画像形成装置。
【発明の詳細な説明】
【技術分野】
【０００１】
画像形成装置において、一度実行処理をしたジョブの設定情報を記録して、再度同じ設定での処理を行う際には前記記録したジョブの設定情報を呼び出して利用することを可能とする技術に関する。
【背景技術】
【０００２】
画像形成装置では、様々な複雑な処理設定が可能である。例えば、複数のページを１ページにコピーする集約コピーや、原稿の位置を左右上下にずらして綴じ代をつくる綴じ代コピーなどの原稿のサイズ・位置に関する処理機能や、又、カラー複写の場合にシアン・マゼンタ・イエロー・黒の各カラーバランスを調整するカラーバランス調整処理機能や、原稿の色に関係なく複写の色を決定する単色カラーコピー機能などの色機能に関する処理機能などがある。
【０００３】
これら、非常に多数の複雑な機能をユーザが使いこなすのは難しく、一度過去に実行した処理と同じ処理を再度実行しようとしても、例えばその機能を実行するためのメニューにたどりつくことができず、目標の処理ができないという問題があった。
【０００４】
従来技術として、ユーザ単位でパネルカスタム操作情報を登録できるようになっており、画像形成装置に接続される画面サイズに関係なく、カスタマイズされた情報に応じて操作部の表示を行う方法がある（特許文献１参照）。
【０００５】
しかし、この方法ではカスタマイズする情報を事前に設定登録をしなければならないという問題があった。
【０００６】
【特許文献１】特開２００６−２１１３７４号公報
【発明の開示】
【発明が解決しようとする課題】
【０００７】
解決しようとする問題点は、画像形成装置において一度実行処理を行ったジョブの設定情報については、自動で記録して再利用することができなかった点である。
【課題を解決するための手段】
【０００８】
本発明の画像形成装置は、ジョブの設定情報の入力を受け付ける入力部と、前記入力部での前記ジョブの設定情報に基づいて、ジョブの処理を行うために装置の制御を行う制御部と、前記制御部に制御されて画像処理を行う画像処理部と、前記制御部に制御されて印刷を行う印刷部と、を有する画像形成装置であって、前記ジョブの設定情報を記録して保存するジョブ設定情報記録部と、前記ジョブ設定情報記録部が記録した前記ジョブの設定情報を読み出して出力するジョブ設定情報出力部と、前記制御部は、前記ジョブ設定情報出力部により出力されたジョブ情報に基づいて、前記画像処理部と前記印刷部とを制御することを最も主要な特徴とする。
【０００９】
また、本発明の画像形成装置は前記画像形成装置であって、前記ジョブ設定情報記録部は、前記ユーザがログアウトを行う際に、前記ジョブの設定情報を記録するかどうかを前記ユーザに選択させて、前記選択に従って前記ジョブの設定情報の記録を行うことを主要な特徴とする。
【発明の効果】
【００１０】
本発明の画像形成装置は、ジョブの設定情報の入力を受け付ける入力部と、前記入力部での前記ジョブの設定情報に基づいて、ジョブの処理を行うために装置の制御を行う制御部と、前記制御部に制御されて画像処理を行う画像処理部と、前記制御部に制御されて印刷を行う印刷部と、を有する画像形成装置であって、前記ジョブの設定情報を記録して保存するジョブ設定情報記録部と、前記ジョブ設定情報記録部が記録した前記ジョブの設定情報を読み出して出力するジョブ設定情報出力部と、前記制御部は、前記ジョブ設定情報出力部により出力されたジョブ情報に基づいて、前記画像処理部と前記印刷部とを制御することを最も主要な特徴とするため、一度実行処理を行ったジョブの設定情報については、自動で記録し再利用することが可能になった。
【００１１】
また、本発明の画像形成装置は前記画像形成装置であって、前記ジョブ設定情報記録部は、前記ユーザがログアウトを行う際に、前記ジョブの設定情報を記録するかどうかを前記ユーザに選択させて、前記選択に従って前記ジョブの設定情報の記録を行うことを主要な特徴とするため、処理を行ったジョブの設定情報を記録し忘れるといった問題が発生しない。
【発明を実施するための最良の形態】
【００１２】
画像形成装置において、一度実行処理を行ったジョブの設定情報を再度利用することが出来ないという問題点を実行処理したジョブの設定情報を記録して保存するジョブ設定情報記録部と、前記記録されたジョブの設定情報を読み出して出力するジョブ設定情報出力部とを設けることにより解決した。
【実施例１】
【００１３】
［構成］
図１は、本発明の実施例に係わる画像形成装置１０１の機能ブロック図である。
【００１４】
画像形成装置１０１は、入力部１１１、表示部１１３、ジョブ設定情報記録部１１５、ジョブ設定情報出力部１１７、ユーザ認証部１１９、制御部１２１、画像読取部１２３、印刷部１２５、画像処理部１２７を有している。
【００１５】
入力部１１１は、画像形成装置の操作を行うための入力キーと表示パネルに重ねられたタッチパネルとからなる。ユーザが前記入力キーと前記タッチパネルを使って画像形成装置を操作すると共に、ジョブの設定情報の登録及び読み出しの操作や、読み出されたジョブの設定情報の編集作業を行う。
【００１６】
ジョブの設定情報とは、画像形成装置における処理機能の設定のことである。例えば、『両面の複数枚数の原稿を片面４ページずつ並べて（集約印刷）、かつ左端に綴じ代をあけるようにずらして（綴じ代印刷）片面に印刷する』などのように複雑な機能を行う際には、画像形成装置１０１の表示部１１３で表示されるメニューの複数のページにわたって、前記の（１）両面原稿片面出力、（２）４ｉｎ１集約印刷、（３）左側面綴じ代設定の各機能を実行させるジョブの処理についての設定を行う必要がある。
【００１７】
このような複雑な処理の設定は、画像形成装置の操作に慣れていないユーザでは、一度は他のユーザに教わったりマニュアルを見たりしながら実行可能であったとしても、時間がたって再度その複雑な同じ設定を行うのは難しいという問題がある。そこで、本画像形成装置では、一度実行されたジョブについての前記（１）から（３）に挙げたような各機能の設定（ジョブの設定情報）については記録を行って、後で呼出して利用することを可能とした。
【００１８】
表示部１１３は、画像形成装置１０１の装置状態を表示すると共に、前記入力部１１１で入力されたジョブの設定情報を表示する。
【００１９】
ジョブ設定情報記録部１１５は、画像形成装置１０１で一度実行された際のジョブの設定情報を記録する機能部である。ユーザがログアウトする際に、ジョブ設定情報記録部１１５は、前記ユーザによって実行されたジョブの設定情報を記録するかどうかを前記ユーザに確認する。該確認に対するユーザの回答に従ってジョブ設定情報記録部１１５は、ジョブの設定情報の記録を行う。ログアウトするまでに行ったジョブが複数ある場合には、それぞれのジョブを記録するかどうかの選択が可能である。
【００２０】
ジョブ設定情報出力部１１７は、前記ジョブ設定情報記録部１１５で記録されたジョブの設定情報を取り出して出力する。出力されたジョブの設定情報は、表示部１１３にて表示され、ユーザは表示された前記ジョブの設定情報について入力部１１１を用いて編集可能である。又、出力されたジョブの設定情報は、制御部１２１に渡され、制御部１２１が該ジョブの設定情報に基づきジョブを実行するよう、各機能部（画像読取部１２３、印刷部１２５、画像処理部１２７等）を制御する。
【００２１】
ユーザ認証部１１９は、画像形成装置１０１を使用するユーザの認証を行う。具体的には、画像形成装置１０１の使用を開始する際に入力部１１１でユーザＩＤとパスワードを入力して、ユーザ認証部１１９が予め登録してあるユーザ情報と照合してユーザの認証を行う。
【００２２】
制御部１２１は、ＣＰＵと、周辺制御回路と、半導体メモリからなる一次記憶装置と、磁気回転ディスク装置からなる二次記憶装置とを有し、画像形成装置１０１全体の制御を行うと共に、入力部１１１で設定されたジョブの設定情報、又はジョブ設定情報出力部１１７から出力されたジョブの設定情報、及び該出力されたジョブの設定情報に基づいて入力部１１１によって編集されたジョブの設定情報に基づいて各機能部（画像読取部１２３、印刷部１２５、画像処理部１２７等）を制御する。
【００２３】
画像読取部１２３は、スキャナ装置を有し原稿の読取を行う。
【００２４】
印刷部１２５は、印刷エンジンを有し画像処理部１２７で印刷用に処理された画像データを用紙に印刷する。
【００２５】
画像処理部１２７は、印刷部１２５の印刷エンジンでの印刷が可能なように画像データの画像処理を行う。
【００２６】
［フローチャート］
図２及び図３のフローチャートを用いて、画像形成装置の動作の流れについて説明する。
【００２７】
図２は、画像形成装置１０１でジョブが実行された際のジョブの登録に関する動作のフローチャートである。
【００２８】
Ｓ３１：ユーザは、入力部１１１からユーザＩＤとパスワードを入力する。
【００２９】
Ｓ３３：ユーザ認証部１１９は、Ｓ３１で入力されたユーザＩＤ及びパスワードが正しいユーザのものであるかを認証する。認証された場合には、動作をＳ３５に移行する。認証されなかった場合には動作をＳ３１に戻す。
【００３０】
Ｓ３５：ジョブを実行する。実行されるジョブは複数であっても良い。
【００３１】
Ｓ３７：ジョブの実行が終わったので、ユーザはログアウト処理を開始する。
【００３２】
Ｓ３９：Ｓ３５で実行されたジョブの設定情報を登録するかどうかをユーザに選択させる。登録する場合には動作をＳ４１に移行する。登録しない場合には動作をＳ４３に移行する。前記Ｓ３５でのジョブが複数あれば、それらのジョブ毎に登録するかどうかを選択する方法が可能であっても良い。このようにジョブの設定情報を登録するかどうかをユーザに選択させることにより、設定情報の登録忘れといったことが生じない。
【００３３】
Ｓ４１：ジョブ設定情報記録部１１５は、Ｓ３５で実行されたジョブの設定情報を記録する。記録の際には、ユーザのユーザＩＤに関連付けてジョブの設定情報が登録される。ユーザは、登録するジョブの設定情報に関して、名前をつけたり、メモ書きを添付したりすることが可能である。これにより、呼び出しの際に記録されたジョブの設定情報がどのような処理に関するものであるかの把握が容易になる。
【００３４】
Ｓ４３：ログアウト処理を実行し、画像形成装置１０１は待機状態になる。
【００３５】
以上の一連の動作により、実行された際のジョブの設定情報の登録（記録及び保存）を行う。
【００３６】
次に、図３を用いて登録されたジョブの設定情報を読み出す際の動作について示す。
【００３７】
Ｓ１１：ユーザは、入力部１１１からユーザＩＤとパスワードを入力する。
【００３８】
Ｓ１３：ユーザ認証部１１９は、Ｓ１１で入力されたユーザＩＤ及びパスワードが正しいユーザのものであるかを認証する。認証された場合には、動作をＳ１５に移行する。認証されなかった場合には動作をＳ１に戻す。
【００３９】
Ｓ１５：記録された過去のジョブの設定情報を呼出すかどうかをユーザの入力により選択する。過去のジョブ情報を呼出す場合には動作をＳ１７に移行する。過去のジョブ情報を呼出さない場合には動作をＳ２５に移行する。
【００４０】
Ｓ１７：ジョブ設定情報出力部１１７は、記録されているジョブの設定情報のうちＳ１１で入力されたユーザのユーザＩＤに関連付けて記録されているものについて、そのリストを読み出し一覧をリスト化する。そして、リスト化されたジョブの設定情報の一覧を表示部１１３にて表示する。
【００４１】
Ｓ１９：ユーザは、表示部１１３に表示されているジョブの設定情報の一覧から、呼出したいジョブの設定情報を選択する。選択する際には、図２のＳ４１で登録するときにつけた名前やメモ書きを基に選択する。
【００４２】
Ｓ２１：ジョブ設定情報出力部１１７は、選択されたジョブの設定情報を表示部１１３に出力する。
【００４３】
Ｓ２３：ユーザは、表示部１１３に表示された過去のジョブの設定情報を基に実行しようとするジョブに合わせて変更が必要であれば設定情報を編集する。
【００４４】
Ｓ２５：ユーザによる入力部１１１のスタートボタンの押下により、ジョブが実行される。画像形成装置１０１の制御部１２１は、Ｓ２３で設定されたジョブの設定情報に基づいて、画像読取部１２３、画像処理部１２７、印刷部１２５の各機能部を制御してジョブを実行する。
【００４５】
以上により一旦過去に実行されたジョブの設定情報に基づいてのジョブの実行が行われた。この後、図２のＳ３７に戻りログアウト処理開始後、ジョブの登録を行っても良いし、過去のジョブの設定情報を基にジョブを実行した場合には、再登録を行わないとする方法を取っても良い。
【００４６】
上記Ｓ１７において、過去のジョブの設定情報のリストを提示する際には、ユーザが登録した過去に実行したジョブだけではなく、あらかじめ設定されている各種のテンプレート設定情報の中から選択するようにしても良い。
【００４７】
［実施例の効果］
本発明実施例の画像形成装置により以下のことが可能となった。
【００４８】
画像形成装置での複雑な機能処理などを行う際に、その設定を行うのが困難な場合でも、ユーザが過去に一度行ったジョブを記録しておき、その記録を呼出し、必要であれば呼出した設定の編集を行って再利用することにより、前記した複雑な機能処理であっても失敗無く処理が行えることとなった。
【００４９】
また、複数の機能を合わせて設定する際などでは、ジョブの設定に時間がかかっていたが、過去の処理履歴から同じものを呼出すか、又は近い処理を呼出して編集する方法をとることによりジョブの設定を迅速に行うことが可能となった。
【００５０】
画像形成装置のジョブ設定情報記録部１１５は、ユーザが実行したジョブの設定情報を記録するかどうかをログアウト時に尋ねるので、ジョブの設定情報を記録し忘れるという問題が発生しない。
【００５１】
［その他］
実施例１においては、画像形成装置がユーザ認証部を有しており、認証されたユーザ毎にユーザＩＤに関連付けてジョブの設定情報を記録し、呼出す際には自分の記録したジョブの設定情報を呼出す動作としたが、ユーザ認証部を有さず、又は、ユーザ認証部を有していてもジョブの設定情報をユーザ間で共有して相互に利用しあうという方法を用いてもよい。
【００５２】
実施例１の画像形成装置では、ログアウト時に処理を行ったジョブの設定情報を記録するかどうかの確認する方法をとったが、設定によっては実行した全てのジョブを自動で記録する方法を取っても良い。
【００５３】
実施例１の画像形成装置は画像読取部を有するいわゆる複合機と呼ばれる画像形成装置であるが、画像読取部を有しないプリンタであっても良い。
【００５４】
又、画像形成装置はその他の機能部、例えば後処理部などを備えた、画像形成装置であっても良い。本実施例に示した画像形成装置は一旦実行されたジョブの設定情報を記録し呼出すための一例としての構成であり、他の機能部を備えた画像形成装置であっても本発明の本質であるジョブ設定情報記録部とジョブ設定情報出力部の機能を備えていれば、各機能部の構成は異なっていても構わない。
【００５５】
実施例１の画像形成装置では、ユーザ認証を行うのにユーザＩＤとパスワードを入力して認証する方法を行ったが、ＩＣカードやＲＦＩＤ（Radio Frequency Identification）などを使って、ユーザ認証する方法であってもよい。
【００５６】
ジョブ設定情報記録部とジョブ設定情報出力部は、一体となってジョブの設定情報の記録と出力を行う構成であっても良い。
【図面の簡単な説明】
【００５７】
【図１】本発明実施例の画像形成装置の機能ブロック図である（実施例１）。
【図２】本発明実施例の画像形成装置のジョブの設定情報登録の際のフローチャートである（実施例１）。
【図３】本発明実施例の画像形成装置のジョブの設定情報読み出しの際のフローチャートである（実施例１）。
【符号の説明】
【００５８】
１０１  画像形成装置
１１１  入力部
１１３  表示部
１１５  ジョブ設定情報記録部
１１７  ジョブ設定情報出力部
１１９  ユーザ認証部
１２１  制御部
１２３  画像読取部
１２５  印刷部
１２７  画像処理部
【図１】
2009141655.tif 000003
【図２】
2009141655.tif 000004
【図３】
2009141655.tif 000005